(57)【要約】  データ送信方法、端末デバイス、アクセスネットワークデバイス、及びシステムが提供される。本方法は、端末デバイスが第１のデータの送信期間を取得する段階と、端末デバイスが第１のリソースの設定情報を取得する段階であって、第１のリソースは第１のデータの送信に用いることができない、段階と、端末デバイスが第１のリソースの設定情報と第１のデータの送信期間とに基づいて第２のリソースを決定する段階と、端末デバイスが第１のデータを送信するために第２のリソース以外のリソースを選択する段階とを含む。Ｖ２Ｘ通信データ又はＤ２Ｄ通信データに用いるリソースを選択する場合、端末デバイスは、Ｖ２Ｘ通信データにもＤ２Ｄ通信データにも用いることができない第２のリソースを除外して、第２のリソースと、端末デバイスが第１のデータの送信に選択したリソースとの間の競合を回避し、Ｄ２Ｄ通信及びＶ２Ｘ通信の信頼性及びセキュリティを向上させる。
2020503737.tif 000002
【特許請求の範囲】
【請求項１】
データ送信方法であって、
端末デバイスが第１のデータの送信期間を取得する段階と、
前記端末デバイスが第１のリソースの設定情報を取得する段階であって、前記第１のリソースは前記第１のデータの送信に用いることができない、段階と、
前記端末デバイスが前記第１のリソースの前記設定情報と前記第１のデータの前記送信期間とに基づいて第２のリソースを決定する段階と、
前記端末デバイスが前記第１のデータを送信するために前記第２のリソース以外のリソースを選択する段階と
を備える方法。
【請求項２】
前記第２のリソースは前記第１のリソース及び第３のリソースを含み、前記第３のリソースは、前記第１のデータの少なくとも１つの送信期間の分だけ前記第１のリソースから分離されている、請求項１に記載の方法。
【請求項３】
前記第１のリソースは同期サブフレームを含み、前記第１のリソースの前記設定情報は、前記同期サブフレームの期間と、オフセットｏｆｆｓｅｔとを含み、
前記端末デバイスが前記第１のリソースの前記設定情報と前記第１のデータの前記送信期間とに基づいて第２のリソースを前記決定する段階は、
前記端末デバイスが前記同期サブフレームの前記期間、前記オフセット、及び前記第１のデータの前記送信期間に基づいて前記第２のリソースを決定する段階を含む、請求項１又は２に記載の方法。
【請求項４】
前記端末デバイスが前記同期サブフレームの前記期間、前記オフセット、及び前記第１のデータの前記送信期間に基づいて前記第２のリソースを前記決定する段階は、
前記端末デバイスが、前記同期サブフレームの前記期間と前記第１のデータの前記送信期間とに基づいて、前記同期サブフレームの前記期間と前記第１のデータの前記送信期間との最大公約数Ｘを決定する段階と、
前記端末デバイスが前記オフセット及び前記最大公約数Ｘに基づいて前記第２のリソースを決定する段階と
を含み、
前記第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、前記オフセットは、システムフレーム番号サイクルの１番目のサブフレームに対する前記システムフレーム番号サイクルの１番目の同期サブフレームのオフセットであるか、又は、前記オフセットは、ダイレクトフレーム番号サイクルの１番目のサブフレームに対する前記ダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す、請求項３に記載の方法。
【請求項５】
前記端末デバイスが前記第１のデータを送信するために前記第２のリソース以外のリソースを前記選択する段階は、
前記端末デバイスが、前記第２のリソースを除くデータ送信リソース選択ウィンドウ内のリソースから、前記第１のデータを送信する前記リソースを選択する段階を含む、請求項１から４のいずれか一項に記載の方法。
【請求項６】
前記データ送信リソース選択ウィンドウの長さは、第１の値Ｙより短いかそれに等しく、
前記第１の値Ｙは、［前記第１のデータの前記送信期間］≦Ｙ≦１００ミリ秒、という不等式を満たす、請求項５に記載の方法。
【請求項７】
前記端末デバイスが第１のリソースの設定情報を前記取得する段階は、
前記端末デバイスが前記第１のリソースの前記設定情報をアクセスネットワークデバイスから受信する段階、又は、
予め設定された情報に基づいて前記端末デバイスが前記第１のリソースの前記設定情報を取得する段階を含む、請求項１から６のいずれか一項に記載の方法。
【請求項８】
第１のデータの送信期間を取得するように構成された処理ユニットを備える端末デバイスであって、
前記処理ユニットはさらに、第１のリソースの設定情報を取得するように構成され、前記第１のリソースは前記第１のデータの送信に用いることができず、
前記処理ユニットはさらに、前記第１のリソースの前記設定情報と前記第１のデータの前記送信期間とに基づいて第２のリソースを決定するように構成され、
前記処理ユニットはさらに、前記第１のデータを送信するために前記第２のリソース以外のリソースを選択するように構成される、端末デバイス。
【請求項９】
前記第２のリソースは前記第１のリソース及び第３のリソースを含み、前記第３のリソースは、前記第１のデータの少なくとも１つの送信期間の分だけ前記第１のリソースから分離されている、請求項８に記載の方法。
【請求項１０】
前記第１のリソースは同期サブフレームを含み、前記第１のリソースの前記設定情報は、前記同期サブフレームの期間と、オフセットｏｆｆｓｅｔとを含み、
前記処理ユニットがさらに、前記第１のリソースの前記設定情報と前記第１のデータの前記送信期間とに基づいて第２のリソースを決定するように構成されることは、
前記処理ユニットが前記同期サブフレームの前記期間、前記オフセット、及び前記第１のデータの前記送信期間に基づいて前記第２のリソースを決定することを含む、請求項８又は９に記載の方法。
【請求項１１】
前記処理ユニットが前記同期サブフレームの前記期間、前記オフセット、及び前記第１のデータの前記送信期間に基づいて前記第２のリソースを決定することは、
前記処理ユニットが、前記同期サブフレームの前記期間と前記第１のデータの前記送信期間とに基づいて、前記同期サブフレームの前記期間と前記第１のデータの前記送信期間との最大公約数Ｘを決定することと、
前記処理ユニットが前記オフセット及び前記最大公約数Ｘに基づいて前記第２のリソースを決定することと
を含み、
前記第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、前記オフセットは、システムフレーム番号サイクルの１番目のサブフレームに対する前記システムフレーム番号サイクルの１番目の同期サブフレームのオフセットであるか、又は、前記オフセットは、ダイレクトフレーム番号サイクルの１番目のサブフレームに対する前記ダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す、請求項１０に記載の方法。
【請求項１２】
前記処理ユニットがさらに、前記第１のデータを送信するために前記第２のリソース以外のリソースを選択するように構成されることは、
前記処理ユニットが、前記第２のリソースを除くデータ送信リソース選択ウィンドウ内のリソースから、前記第１のデータを送信する前記リソースを選択することを含む、請求項８から１１のいずれか一項に記載の方法。
【請求項１３】
前記データ送信リソース選択ウィンドウの長さは、第１の値Ｙより短いかそれに等しく、
前記第１の値Ｙは、［前記第１のデータの前記送信期間］≦Ｙ≦１００ミリ秒、という不等式を満たす、請求項１２に記載の方法。
【請求項１４】
前記処理ユニットが第１のリソースの設定情報を取得するように構成されることは、
予め設定された情報に基づいて、前記処理ユニットが前記第１のリソースの前記設定情報を取得すること、又は、
前記端末デバイスがさらに受信ユニットを含み、前記受信ユニットは前記第１のリソースの前記設定情報をアクセスネットワークデバイスから受信することを含む、請求項８から１３のいずれか一項に記載の方法。
【請求項１５】
アクセスネットワークデバイスが第１のリソースの設定情報を端末デバイスに送信する段階を備えるデータ送信方法であって、前記第１のリソースは第１のデータの送信に用いることができず、前記第１のリソースの前記設定情報は、前記端末デバイスが前記第１のリソースの前記設定情報と前記第１のデータの送信期間とに基づいて第２のリソースを決定するのに用いられ、前記第２のリソースは、前記端末デバイスが前記第１のデータを送信するために前記第２のリソース以外のリソースを選択するのに用いられる、方法。
【請求項１６】
前記第２のリソースは前記第１のリソース及び第３のリソースを含み、前記第３のリソースは、前記第１のデータの少なくとも１つの送信期間の分だけ前記第１のリソースから分離されている、請求項１５に記載の方法。
【請求項１７】
前記第１のリソースは同期サブフレームを含み、前記第１のリソースの前記設定情報は、前記同期サブフレームの期間と、オフセットｏｆｆｓｅｔとを含み、
前記端末デバイスが前記第１のリソースの前記設定情報と前記第１のデータの送信期間とに基づいて第２のリソースを前記決定する段階は、
前記端末デバイスが前記同期サブフレームの前記期間、前記オフセット、及び前記第１のデータの前記送信期間に基づいて前記第２のリソースを決定する段階を含む、請求項１５又は１６に記載の方法。
【請求項１８】
前記端末デバイスが前記同期サブフレームの前記期間、前記オフセット、及び前記第１のデータの前記送信期間に基づいて前記第２のリソースを前記決定する段階は、
前記端末デバイスが、前記同期サブフレームの前記期間と前記第１のデータの前記送信期間とに基づいて、前記同期サブフレームの前記期間と前記第１のデータの前記送信期間との最大公約数Ｘを決定する段階と、
前記端末デバイスが前記オフセット及び前記最大公約数Ｘに基づいて前記第２のリソースを決定する段階と
を含み、
前記第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、前記オフセットは、システムフレーム番号サイクルの１番目のサブフレームに対する前記システムフレーム番号サイクルの１番目の同期サブフレームのオフセットであるか、又は、前記オフセットは、ダイレクトフレーム番号サイクルの１番目のサブフレームに対する前記ダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す、請求項１７に記載の方法。
【請求項１９】
前記端末デバイスが前記第１のデータを送信するために前記第２のリソース以外のリソースを前記選択する段階は、
前記端末デバイスが、前記第２のリソースを除くデータ送信リソース選択ウィンドウ内のリソースから、前記第１のデータを送信する前記リソースを選択する段階を含む、請求項１５から１８のいずれか一項に記載の方法。
【請求項２０】
前記データ送信リソース選択ウィンドウの長さは、第１の値Ｙより短いかそれに等しく、
前記第１の値Ｙは、［前記第１のデータの前記送信期間］≦Ｙ≦１００ミリ秒、という不等式を満たす、請求項１９に記載の方法。
【請求項２１】
前記端末デバイスが第１のリソースの設定情報を前記取得する段階は、
前記端末デバイスが前記第１のリソースの前記設定情報をアクセスネットワークデバイスから受信する段階、又は、
予め設定された情報に基づいて前記端末デバイスが前記第１のリソースの前記設定情報を取得する段階を含む、請求項１５から２０のいずれか一項に記載の方法。
【請求項２２】
第１のリソースの設定情報を端末デバイスに送信するように構成された送信ユニットを備えるアクセスネットワークデバイスであって、
前記第１のリソースは第１のデータの送信に用いることができず、前記第１のリソースの前記設定情報は、前記端末デバイスが前記第１のリソースの前記設定情報と前記第１のデータの送信期間とに基づいて第２のリソースを決定するのに用いられ、前記第２のリソースは、前記端末デバイスが前記第１のデータを送信するために前記第２のリソース以外のリソースを選択するのに用いられる、アクセスネットワークデバイス。
【請求項２３】
前記第２のリソースは前記第１のリソース及び第３のリソースを含み、前記第３のリソースは、前記第１のデータの少なくとも１つの送信期間の分だけ前記第１のリソースから分離されている、請求項２２に記載の方法。
【請求項２４】
前記第１のリソースは同期サブフレームを含み、前記第１のリソースの前記設定情報は、前記同期サブフレームの期間と、オフセットｏｆｆｓｅｔとを含み、
前記端末デバイスが前記第１のリソースの前記設定情報と前記第１のデータの送信期間とに基づいて第２のリソースを前記決定することは、
前記端末デバイスが前記同期サブフレームの前記期間、前記オフセット、及び前記第１のデータの前記送信期間に基づいて前記第２のリソースを決定することを含む、請求項２２又は２３に記載の方法。
【請求項２５】
前記端末デバイスが前記同期サブフレームの前記期間、前記オフセット、及び前記第１のデータの前記送信期間に基づいて前記第２のリソースを前記決定することは、
前記端末デバイスが、前記同期サブフレームの前記期間と前記第１のデータの前記送信期間とに基づいて、前記同期サブフレームの前記期間と前記第１のデータの前記送信期間との最大公約数Ｘを決定することと、
前記端末デバイスが前記オフセット及び前記最大公約数Ｘに基づいて前記第２のリソースを決定することと
を含み、
前記第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、前記オフセットは、システムフレーム番号サイクルの１番目のサブフレームに対する前記システムフレーム番号サイクルの１番目の同期サブフレームのオフセットであるか、又は、前記オフセットは、ダイレクトフレーム番号サイクルの１番目のサブフレームに対する前記ダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す、請求項２４に記載の方法。
【請求項２６】
前記端末デバイスが前記第１のデータを送信するために前記第２のリソース以外のリソースを前記選択することは、
前記端末デバイスが、前記第２のリソースを除くデータ送信リソース選択ウィンドウ内のリソースから、前記第１のデータを送信する前記リソースを選択することを含む、請求項２２から２５のいずれか一項に記載の方法。
【請求項２７】
前記データ送信リソース選択ウィンドウの長さは、第１の値Ｙより短いかそれに等しく、
前記第１の値Ｙは、［前記第１のデータの前記送信期間］≦Ｙ≦１００ミリ秒、という不等式を満たす、請求項２６に記載の方法。
【発明の詳細な説明】
【技術分野】
【０００１】
本出願の実施形態は通信システムに関するものであり、詳細には、データ送信方法、端末デバイス、及びアクセスネットワークデバイスに関するものである。
【背景技術】
【０００２】
デバイス間（Ｄｅｖｉｃｅ  ｔｏ  Ｄｅｖｉｃｅ、Ｄ２Ｄ）通信、車両間（Ｖｅｈｉｃｌｅ  ｔｏ  Ｖｅｈｉｃｌｅ、Ｖ２Ｖ）通信、車両対歩行者Ｖ２Ｐ（Ｖｅｈｉｃｌｅ  ｔｏ  Ｐｅｄｅｓｔｒｉａｎ、Ｖ２Ｐ）通信、又は車両対インフラストラクチャ／ネットワークＶ２Ｉ／Ｎ（Ｖｅｈｉｃｌｅ  ｔｏ  Ｉｎｆｒａｓｔｒｕｃｔｕｒｅ／Ｎｅｔｗｏｒｋ、Ｖ２Ｉ／Ｎ）通信は、端末デバイス（ｔｅｒｍｉｎａｌ  ｄｅｖｉｃｅ）間で直接通信する技術である。Ｖ２Ｖ、Ｖ２Ｐ、及びＶ２Ｉ／Ｎは、全体としてＶ２Ｘ、すなわち、あらゆるものとの車両通信と呼ばれる。
【０００３】
Ｖ２Ｘ通信は、モード３（Ｍｏｄｅ  ３）及びモード４（Ｍｏｄｅ  ４）を含む。モード３では、ある端末デバイスが、アクセスネットワークデバイスにより割り当てられたリソースで、別の端末デバイスと通信する。モード４では、端末デバイスがリソースを自主的に選択し、選択したリソースで別の端末デバイスと通信する。通常、セキュリティ又は簡略化のために、端末デバイスは、選択したリソースをある期間予約し、データを別の端末デバイスに周期的に送信する。データは、例えば、車両の速度情報、位置情報、及び／又は状態情報を含む。実際の通信システムでは、一部のリソースがＶ２Ｘ通信の実行に用いることができない。端末デバイスがこれらのリソースを選択した場合、Ｖ２Ｘ通信を実行することができない。
【０００４】
したがって、Ｄ２Ｄ通信及びＶ２Ｘ通信の信頼性及びセキュリティを向上させる技術的解決手段が、業界において緊急に必要とされる。
【発明の概要】
【０００５】
本出願の実施形態が、データ送信方法、端末デバイス、及びアクセスネットワークデバイスを提供して、Ｄ２Ｄ通信及びＶ２Ｘ通信の信頼性及びセキュリティを向上させる。
【０００６】
第１の態様によれば、データ送信方法が提供される。本方法は、端末デバイスが第１のデータの送信期間を取得する段階と、端末デバイスが第１のリソースの設定情報を取得する段階であって、第１のリソースは第１のデータの送信に用いることができない、段階と、端末デバイスが第１のリソースの設定情報と第１のデータの送信期間とに基づいて第２のリソースを決定する段階と、端末デバイスが、第１のデータを送信するために第２のリソース以外のリソースを選択する段階とを含む。
【０００７】
実行可能な設計例において、第２のリソースは第１のリソース及び第３のリソースを含み、第３のリソースは、第１のデータの少なくとも１つの送信期間の分だけ第１のリソースから分離されている。
【０００８】
実行可能な設計例において、第１のリソースは同期サブフレームを含み、第１のリソースの設定情報は、同期サブフレームの期間と、オフセットｏｆｆｓｅｔとを含む。端末デバイスが第１のリソースの設定情報と第１のデータの送信期間とに基づいて第２のリソースを決定する段階は、端末デバイスが同期サブフレームの期間、オフセット、及び第１のデータの送信期間に基づいて第２のリソースを決定する段階を含む。
【０００９】
実行可能な設計例において、端末デバイスが同期サブフレームの期間、オフセット、及び第１のデータの送信期間に基づいて第２のリソースを決定する段階は、端末デバイスが同期サブフレームの期間と第１のデータの送信期間とに基づいて同期サブフレームの期間と第１のデータの送信期間との最大公約数Ｘを決定する段階と、端末デバイスがオフセット及び最大公約数Ｘに基づいて第２のリソースを決定する段階とを含む。ここで、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットは、システムフレーム番号サイクルの１番目のサブフレームに対するシステムフレーム番号サイクルの１番目の同期サブフレームのオフセットであるか、又は、オフセットは、ダイレクトフレーム番号サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。
【００１０】
実行可能な設計例において、端末デバイスが、第１のデータを送信するために第２のリソース以外のリソースを選択する段階は、端末デバイスが、第２のリソースを除くデータ送信リソース選択ウィンドウ内のリソースから、第１のデータを送信するリソースを選択する段階を含む。
【００１１】
実行可能な設計例において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【００１２】
実行可能な設計例において、端末デバイスが第１のリソースの設定情報を取得する段階は、端末デバイスが第１のリソースの設定情報をアクセスネットワークデバイスから受信する段階、又は予め設定された情報に基づいて端末デバイスが第１のリソースの設定情報を取得する段階を含む。
【００１３】
実行可能な設計例において、処理ユニットはプロセッサ（ｐｒｏｃｅｓｓｏｒ）であってよく、送信ユニットは送信機（ｔｒａｎｓｍｉｔｔｅｒ）でも又は送受信機（ｔｒａｎｓｃｅｉｖｅｒ）でもよく、受信ユニットは受信機（ｒｅｃｅｉｖｅｒ）でも又は送受信機でもよい。
【００１４】
第２の態様によれば、端末デバイスが提供され、端末デバイスは処理ユニットを含む。処理ユニットは、第１のデータの送信期間を取得するように構成され、処理ユニットはさらに、第１のリソースの設定情報を取得するように構成され、第１のリソースは第１のデータの送信に用いることができない。処理ユニットはさらに、第１のリソースの設定情報と第１のデータの送信期間とに基づいて第２のリソースを決定するように構成され、処理ユニットはさらに、第１のデータを送信するために第２のリソース以外のリソースを選択するように構成される。
【００１５】
実行可能な設計例において、第２のリソースは第１のリソース及び第３のリソースを含み、第３のリソースは、第１のデータの少なくとも１つの送信期間の分だけ第１のリソースから分離されている。
【００１６】
実行可能な設計例において、第１のリソースは同期サブフレームを含み、第１のリソースの設定情報は、同期サブフレームの期間と、オフセットｏｆｆｓｅｔとを含む。処理ユニットがさらに第１のリソースの設定情報と第１のデータの送信期間とに基づいて第２のリソースを決定するように構成されることは、処理ユニットが同期サブフレームの期間、オフセット、及び第１のデータの送信期間に基づいて第２のリソースを決定することを含む。
【００１７】
実行可能な設計例において、処理ユニットが同期サブフレームの期間、オフセット、及び第１のデータの送信期間に基づいて第２のリソースを決定することは、処理ユニットが同期サブフレームの期間と第１のデータの送信期間とに基づいて同期サブフレームの期間と第１のデータの送信期間との最大公約数Ｘを決定することと、処理ユニットがオフセット及び最大公約数Ｘに基づいて第２のリソースを決定することとを含む。ここで、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットは、システムフレーム番号サイクルの１番目のサブフレームに対するシステムフレーム番号サイクルの１番目の同期サブフレームのオフセットであるか、又は、オフセットは、ダイレクトフレーム番号サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。
【００１８】
実行可能な設計例において、処理ユニットがさらに、第１のデータを送信するために第２のリソース以外のリソースを選択するように構成されることは、処理ユニットが、第２のリソースを除くデータ送信リソース選択ウィンドウ内のリソースから、第１のデータを送信するリソースを選択することを含む。
【００１９】
実行可能な設計例において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【００２０】
実行可能な設計例において、処理ユニットが第１のリソースの設定情報を取得するように構成されることは、予め設定された情報に基づいて、処理ユニットが第１のリソースの設定情報を取得することを含むか、又は、端末デバイスはさらに受信ユニットを含み、受信ユニットは第１のリソースの設定情報をアクセスネットワークデバイスから受信する。
【００２１】
実行可能な設計例において、処理ユニットはプロセッサ（ｐｒｏｃｅｓｓｏｒ）であってよく、受信ユニットは受信機（ｒｅｃｅｉｖｅｒ）でも又は送受信機でもよい。
【００２２】
第３の態様によれば、データ送信方法が提供され、本方法は、アクセスネットワークデバイスが第１のリソースの設定情報を端末デバイスに送信する段階を含み、第１のリソースは第１のデータの送信に用いることができず、第１のリソースの設定情報は、端末デバイスが第１のリソースの設定情報と第１のデータの送信期間とに基づいて第２のリソースを決定するのに用いられ、第２のリソースは、端末デバイスが第１のデータを送信するために第２のリソース以外のリソースを選択するのに用いられる。
【００２３】
実行可能な設計例において、第２のリソースは第１のリソース及び第３のリソースを含み、第３のリソースは、第１のデータの少なくとも１つの送信期間の分だけ第１のリソースから分離されている。
【００２４】
実行可能な設計例において、第１のリソースは同期サブフレームを含み、第１のリソースの設定情報は、同期サブフレームの期間と、オフセットｏｆｆｓｅｔとを含む。端末デバイスが第１のリソースの設定情報と第１のデータの送信期間とに基づいて第２のリソースを決定する段階は、端末デバイスが同期サブフレームの期間、オフセット、及び第１のデータの送信期間に基づいて第２のリソースを決定する段階を含む。
【００２５】
実行可能な設計例において、端末デバイスが同期サブフレームの期間、オフセット、及び第１のデータの送信期間に基づいて第２のリソースを決定する段階は、端末デバイスが同期サブフレームの期間と第１のデータの送信期間とに基づいて同期サブフレームの期間と第１のデータの送信期間との最大公約数Ｘを決定する段階と、端末デバイスがオフセット及び最大公約数Ｘに基づいて第２のリソースを決定する段階とを含む。ここで、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットは、システムフレーム番号サイクルの１番目のサブフレームに対するシステムフレーム番号サイクルの１番目の同期サブフレームのオフセットであるか、又は、オフセットは、ダイレクトフレーム番号サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。
【００２６】
実行可能な設計例において、端末デバイスが第１のデータを送信するために第２のリソース以外のリソースを選択する段階は、端末デバイスが、第２のリソースを除くデータ送信リソース選択ウィンドウ内のリソースから、第１のデータを送信するリソースを選択する段階を含む。
【００２７】
実行可能な設計例において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【００２８】
実行可能な設計例において、端末デバイスが第１のリソースの設定情報を取得する段階は、端末デバイスが第１のリソースの設定情報をアクセスネットワークデバイスから受信する段階、又は予め設定された情報に基づいて端末デバイスが第１のリソースの設定情報を取得する段階を含む。
【００２９】
第４の態様によれば、アクセスネットワークデバイスが提供され、アクセスネットワークデバイスは送信ユニットを含む。送信ユニットは、第１のリソースの設定情報を端末デバイスに送信するように構成され、第１のリソースは第１のデータの送信に用いることができず、第１のリソースの設定情報は、端末デバイスが第１のリソースの設定情報と第１のデータの送信期間とに基づいて第２のリソースを決定するのに用いられ、第２のリソースは、端末デバイスが第１のデータを送信するために第２のリソース以外のリソースを選択するのに用いられる。
【００３０】
実行可能な設計例において、第２のリソースは第１のリソース及び第３のリソースを含み、第３のリソースは、第１のデータの少なくとも１つの送信期間の分だけ第１のリソースから分離されている。
【００３１】
実行可能な設計例において、第１のリソースは同期サブフレームを含み、第１のリソースの設定情報は、同期サブフレームの期間と、オフセットｏｆｆｓｅｔとを含む。端末デバイスが第１のリソースの設定情報と第１のデータの送信期間とに基づいて第２のリソースを決定することは、端末デバイスが同期サブフレームの期間、オフセット、及び第１のデータの送信期間に基づいて第２のリソースを決定することを含む。
【００３２】
実行可能な設計例において、端末デバイスが同期サブフレームの期間、オフセット、及び第１のデータの送信期間に基づいて第２のリソースを決定することは、端末デバイスが同期サブフレームの期間と第１のデータの送信期間とに基づいて同期サブフレームの期間と第１のデータの送信期間との最大公約数Ｘを決定することと、端末デバイスがオフセット及び最大公約数Ｘに基づいて第２のリソースを決定することとを含む。ここで、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットは、システムフレーム番号サイクルの１番目のサブフレームに対するシステムフレーム番号サイクルの１番目の同期サブフレームのオフセットであるか、又は、オフセットは、ダイレクトフレーム番号サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。
【００３３】
実行可能な設計例において、端末デバイスが第１のデータを送信するために第２のリソース以外のリソースを選択することは、端末デバイスが、第２のリソースを除くデータ送信リソース選択ウィンドウ内のリソースから、第１のデータを送信するリソースを選択することを含む。
【００３４】
実行可能な設計例において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【００３５】
実行可能な設計例において、処理ユニットはプロセッサ（ｐｒｏｃｅｓｓｏｒ）であってよく、送信ユニットは送信機（ｔｒａｎｓｍｉｔｔｅｒ）でも又は送受信機（ｔｒａｎｓｃｅｉｖｅｒ）でもよい。
【００３６】
第５の態様によれば、データ送信システムが提供され、本システムは、端末デバイス及びアクセスネットワークデバイスを含む。端末デバイスは、第１のデータの送信期間を取得し、アクセスネットワークデバイスは、第１のリソースの設定情報を端末デバイスに送信し、第１のリソースは第１のデータの送信に用いることができない。端末デバイスは、第１のリソースの設定情報と第１のデータの送信期間とに基づいて第２のリソースを決定し、端末デバイスは、第１のデータを送信するために第２のリソース以外のリソースを選択する。
【００３７】
実行可能な設計例において、第２のリソースは第１のリソース及び第３のリソースを含み、第３のリソースは、第１のデータの少なくとも１つの送信期間の分だけ第１のリソースから分離されている。
【００３８】
実行可能な設計例において、第１のリソースは同期サブフレームを含み、第１のリソースの設定情報は、同期サブフレームの期間と、オフセットｏｆｆｓｅｔとを含む。端末デバイスが第１のリソースの設定情報と第１のデータの送信期間とに基づいて第２のリソースを決定することは、端末デバイスが同期サブフレームの期間、オフセット、及び第１のデータの送信期間に基づいて第２のリソースを決定することを含む。
【００３９】
実行可能な設計例において、端末デバイスが同期サブフレームの期間、オフセット、及び第１のデータの送信期間に基づいて第２のリソースを決定することは、端末デバイスが同期サブフレームの期間と第１のデータの送信期間とに基づいて同期サブフレームの期間と第１のデータの送信期間との最大公約数Ｘを決定することと、端末デバイスがオフセット及び最大公約数Ｘに基づいて第２のリソースを決定することとを含む。ここで、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットは、システムフレーム番号サイクルの１番目のサブフレームに対するシステムフレーム番号サイクルの１番目の同期サブフレームのオフセットであるか、又は、オフセットは、ダイレクトフレーム番号サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。
【００４０】
実行可能な設計例において、端末デバイスが第１のデータを送信するために第２のリソース以外のリソースを選択することは、端末デバイスが、第２のリソースを除くデータ送信リソース選択ウィンドウ内のリソースから、第１のデータを送信するリソースを選択することを含む。
【００４１】
実行可能な設計例において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【００４２】
実行可能な設計例において、端末デバイスが第１のリソースの設定情報を取得することは、端末デバイスが第１のリソースの設定情報をアクセスネットワークデバイスから受信すること、又は、端末デバイスが、予め設定された情報に基づいて、第１のリソースの設定情報を取得することを含む。
【００４３】
第６の態様によれば、本出願の一実施形態が、前述の基地局により用いられるコンピュータソフトウェア命令を格納するように構成されたコンピュータ記憶媒体を提供し、コンピュータソフトウェア命令は、前述の態様を実行するように設計されたプログラムを含む。
【００４４】
第７の態様によれば、本出願の一実施形態が、前述の端末デバイスにより用いられるコンピュータソフトウェア命令を格納するように構成されたコンピュータ記憶媒体を提供し、コンピュータソフトウェア命令は、前述の態様を実行するように設計されたプログラムを含む。
【００４５】
前述の解決手段によれば、第１のリソースは、Ｖ２Ｘ通信データの伝送にもＤ２Ｄ通信データの伝送にも用いることができないリソースであり、端末デバイスは、第１のリソースの設定情報と第１のデータの送信期間とに基づいて第２のリソースを決定する。また、第２のリソースも、Ｖ２Ｘ通信データの伝送にもＤ２Ｄ通信データの伝送にも用いることができないリソースであり、端末デバイスは、第１のデータを送信するために第２のリソース以外のリソースを選択する。したがって、Ｖ２Ｘ通信データ又はＤ２Ｄ通信データに用いるリソースを選択する場合、端末デバイスは、Ｖ２Ｘ通信データにもＤ２Ｄ通信データにも用いることができない第２のリソースを除外して、第２のリソースと、端末デバイスが第１のデータの送信に選択したリソースとの間の競合を回避し、Ｄ２Ｄ通信及びＶ２Ｘ通信の信頼性及びセキュリティを向上させる。
【図面の簡単な説明】
【００４６】
【図１】本出願の一実施形態によるシステムの模式的なアーキテクチャ図である。
【００４７】
【図２】本出願の一実施形態によるデータ送信方法及びシステムを示す。
【００４８】
【図３】本出願の一実施形態による端末デバイスを示す。
【００４９】
【図４】本出願の一実施形態による別の端末デバイスを示す。
【００５０】
【図５】本出願の一実施形態によるアクセスネットワークデバイスを示す。
【００５１】
【図６】本出願の一実施形態による別のアクセスネットワークデバイスを示す。
【００５２】
【図７】本出願の一実施形態によるデータ送信方法及びシステムを示す。
【００５３】
【図８】本出願の一実施形態によるデータ送信方法及びシステムを示す。
【００５４】
【図９】本出願の一実施形態による端末デバイスを示す。
【００５５】
【図１０】本出願の一実施形態によるアクセスネットワークデバイスを示す。
【発明を実施するための形態】
【００５６】
図１に示すように、モード４では、端末デバイス１が、データを端末デバイス２に送信するリソースを選択し、当該リソースをある期間予約して、ｚの期間にデータを端末デバイス２に送信する。
リソースを予約する時間の長さが、アクセスネットワークデバイスから受信されてもよく、予め設定されてもよく、又は端末デバイス１により自主的に選択されてもよい。端末デバイス１は、ｎ、ｎ＋ｚ、ｎ＋２Ｚ、…、ｎ＋ｒｚの時点に、選択したリソースでデータを端末デバイス２に送信する。ここで、ｎは、端末デバイス１がデータを端末デバイス２に初めて送信する時点であり、ｒは、０、１、２、又は３などである。
【００５７】
本出願のアクセスネットワークデバイスは、無線アクセスネットワークに展開されて、無線通信機能を端末デバイスに提供する装置である。アクセスネットワークデバイスは、例えば、マクロ基地局、マイクロ基地局、中継ノード、及びアクセスポイントなどの様々な形態の基地局（Ｂａｓｅ  Ｓｔａｔｉｏｎ、ＢＳ）を含んでよい。異なる無線アクセス技術を用いるシステムでは、アクセスネットワークデバイスの機能を有するデバイスは、異なる名称を有し得る。例えば、ＬＴＥネットワークでは、当該デバイスは進化型ＮｏｄｅＢ（ｅｖｏｌｖｅｄ  ＮｏｄｅＢ、略してｅＮＢ又はｅＮｏｄｅＢ）と呼ばれ、第３世代３Ｇネットワークでは、当該デバイスはＮｏｄｅＢ（ＮｏｄｅＢ）などと呼ばれ、又はＶ２Ｖ通信においてロードサイドユニット（Ｒｏａｄ  ｓｉｄｅ  Ｕｎｉｔ、ＲＳＵ）と呼ばれる。説明しやすくするために、本出願では、無線通信機能を端末デバイスに提供する前述の装置は、全体としてアクセスネットワークデバイスと呼ばれる。
【００５８】
本出願の端末デバイスは、無線通信機能を有する様々なハンドヘルドデバイス、例えば、車載デバイス、ウェアラブルデバイス、コンピューティングデバイス、無線モデムに接続された別の処理デバイス、移動局（Ｍｏｂｉｌｅ  ｓｔａｔｉｏｎ、ＭＳ）、端末（ｔｅｒｍｉｎａｌ）、及びユーザ機器（Ｕｓｅｒ  Ｅｑｕｉｐｍｅｎｔ、ＵＥ）を含んでよい。説明しやすくするために、本出願では、前述のデバイスは全体として端末デバイスと呼ばれる。
【００５９】
以下では、具体的な例を参照して、本出願の実施形態をより詳細に説明する。
【００６０】
図２は、本出願の一実施形態によるデータ送信方法及びシステムを示す。具体的な段階は次の通りである。
【００６１】
段階２１：端末デバイスは、第１のデータの送信期間を取得する。
【００６２】
任意選択の一実施形態において、第１のデータは、端末デバイスの少なくとも１つの情報、すなわち、速度情報、位置情報、及び状態情報を含む。端末デバイスは、第１のデータの送信期間に基づいて、第１のデータを周期的に送信する。送信期間はＰミリ秒又はＰ個のサブフレームであってよく、Ｐは正の整数である。任意選択的に、端末デバイスが高速になると、第１のデータの送信期間が短くなる。任意選択的に、第１のデータは、Ｖ２Ｘ通信データ又はＤ２Ｄ通信データを含む。
【００６３】
段階２２：端末デバイスは、第１のリソースの設定情報を取得する。第１のリソースは、第１のデータの送信に用いることができない。
【００６４】
任意選択の一実施形態において、第１のリソースは同期サブフレーム又は予約サブフレームである。第１のリソースの設定情報は、同期サブフレーム又は予約サブフレームの期間、及びオフセットｏｆｆｓｅｔを含む。同期サブフレームは、同期信号の送信又は受信に用いられるサブフレームであり、予約サブフレームは、Ｖ２Ｘ通信に用いることができないサブフレームである。オフセットは、システムフレーム番号（Ｓｙｓｔｅｍ  Ｆｒａｍｅ  Ｎｕｍｂｅｒ、ＳＦＮ）サイクルの１番目のサブフレームに対するシステムフレーム番号サイクルの１番目の同期サブフレームのオフセットであるか、又は、オフセットは、ダイレクトフレーム番号（Ｄｉｒｅｃｔ  Ｆｒａｍｅ  Ｎｕｍｂｅｒ，  ＤＦＮ）サイクルの１番目のサブフレームに対するダイレクトフレーム番号サイクルの１番目の同期サブフレームのオフセットである。任意選択的に、図２に示す実施形態では、第１のリソースは同期サブフレームであってもよく、又は予約サブフレームであってもよい。しかしながら、図２の実施形態では、第１のリソースが同期サブフレームであることが、一例として詳細な説明に用いられる。図２の実施形態では、全ての同期サブフレームが予約サブフレームと置き換えられてよい。
【００６５】
任意選択の一実施形態において、端末デバイスが第１のリソースの設定情報を取得することは、端末デバイスが第１のリソースの設定情報をアクセスネットワークデバイスから受信し、アクセスネットワークデバイスが第１のリソースの設定情報を端末デバイスに送信すること、又は、端末デバイスが予め設定された情報に基づいて第１のリソースの設定情報を取得することを含む。
【００６６】
任意選択的ではあるが、段階２１及び段階２２を実行する順序は、限定されるものではない。
【００６７】
段階２３：端末デバイスは、第１のリソースの設定情報と第１のデータの送信期間とに基づいて、第２のリソースを決定する。
【００６８】
任意選択の一実施形態において、第２のリソースは、第１のリソースの設定情報と第１のデータの送信期間とに基づいて決定され、また第１のデータの送信に用いることができないリソースであり、第２のリソースは第１のリソース及び第３のリソースを含み、第３のリソースは、第１のデータの少なくとも１つの送信期間の分だけ第１のリソースから分離されている。任意選択的に、第１のリソース及び第３のリソースは異なるリソースであり、第３のリソースは、第１のデータの少なくとも１つの送信期間の後の第１のリソースと一致する。
【００６９】
任意選択の一実施形態において、端末デバイスが第１のリソースの設定情報と第１のデータの送信期間とに基づいて第２のリソースを決定することは、端末デバイスが同期サブフレームの期間、オフセット、及び第１のデータの送信期間に基づいて第２のリソースを決定することを含む。
【００７０】
任意選択の一実施形態において、端末デバイスが同期サブフレームの期間、オフセット、及び第１のデータの送信期間に基づいて第２のリソースを決定することは、端末デバイスが同期サブフレームの期間と第１のデータの送信期間とに基づいて同期サブフレームの期間と第１のデータの送信期間との最大公約数Ｘを決定することと、端末デバイスがオフセットと最大公約数Ｘとに基づいて第２のリソースを決定することとを含む。ここで、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットｏｆｆｓｅｔは、システムフレーム番号（Ｓｙｓｔｅｍ  Ｆｒａｍｅ  Ｎｕｍｂｅｒ、ＳＦＮ）サイクルの１番目のサブフレームに対するシステムフレーム番号サイクルの１番目の同期サブフレームのオフセットであるか、又は、オフセットｏｆｆｓｅｔは、ダイレクトフレーム番号（Ｄｉｒｅｃｔ  Ｆｒａｍｅ  Ｎｕｍｂｅｒ、ＤＦＮ）サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値、すなわち、｜ｋ−ｏｆｆｓｅｔ｜を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。１つのシステムフレームは１０個のサブフレームを含み、１つのシステムフレーム番号サイクル（ＳＦＮ  ｃｙｃｌｅ）は１０２４個のシステムフレームを含む。１０２４個のシステムフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、システムフレーム番号サイクルの１番目のサブフレームがサブフレーム０である。１つのダイレクトフレームは１０個のサブフレームを含み、１つのダイレクトフレーム番号サイクル（ＤＦＮ  ｃｙｃｌｅ）は１０２４個のダイレクトフレームを含む。１０２４個のダイレクトフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、ダイレクトフレーム番号サイクルの１番目のサブフレームがサブフレーム０である。
【００７１】
任意選択の一実施形態において、同期サブフレームは周期的に現れ、オフセットは、システムフレーム番号サイクルの１番目のサブフレーム（サブフレーム０）に対してシステムフレーム番号サイクルの１番目の同期サブフレームだけオフセットしたサブフレームの個数であるか、又は、オフセットは、ダイレクトフレーム番号サイクルの１番目のサブフレーム（サブフレーム０）に対してダイレクトフレーム番号サイクルの１番目の同期サブフレームだけオフセットしたサブフレームの個数である。例えば、システムフレーム番号サイクルの同期サブフレームが５番目のサブフレームに最初に現れた場合、オフセットは５つのサブフレームであり、次に、システムフレーム番号サイクルの同期サブフレームが、同期サブフレームの期間に基づいて継続して現れる。
【００７２】
段階２４：端末デバイスは、第１のデータを送信するために第２のリソース以外のリソースを選択する。
【００７３】
任意選択の一実施形態において、端末デバイスが第１のデータを送信するために第２のリソース以外のリソースを選択することは、端末デバイスが、第２のリソースを除くデータ送信リソース選択ウィンドウ内のリソースから、第１のデータを送信するリソースを選択することを含む。
【００７４】
任意選択の一実施形態において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【００７５】
本出願のこの実施形態によれば、第１のリソースは、Ｖ２Ｘ通信データの伝送にもＤ２Ｄ通信データの伝送にも用いることができないリソースであり、端末デバイスは、第１のリソースの設定情報と第１のデータの送信期間とに基づいて第２のリソースを決定する。また、第２のリソースも、Ｖ２Ｘ通信データの伝送にもＤ２Ｄ通信データの伝送にも用いることができないリソースであり、端末デバイスは、第１のデータを送信するために第２のリソース以外のリソースを選択する。したがって、Ｖ２Ｘ通信データ又はＤ２Ｄ通信データに用いるリソースを選択する場合、端末デバイスは、Ｖ２Ｘ通信データにもＤ２Ｄ通信データにも用いることができない第２のリソースを除外して、第２のリソースと、端末デバイスが第１のデータの送信に選択したリソースとの間の競合を回避し、Ｄ２Ｄ通信及びＶ２Ｘ通信の信頼性及びセキュリティを向上させる。
【００７６】
図３は、図２の実施形態における方法を実行するように構成された端末デバイスの実行可能な概略構造図である。端末デバイスは、処理ユニット３０１を含む。
【００７７】
処理ユニット３０１は、第１のデータの送信期間を取得するように構成される。
【００７８】
任意選択の一実施形態において、第１のデータは、端末デバイスの少なくとも１つの情報、すなわち、速度情報、位置情報、及び状態情報を含む。端末デバイスは、第１のデータの送信期間に基づいて、第１のデータを周期的に送信する。送信期間はＰミリ秒又はＰ個のサブフレームであってよく、Ｐは正の整数である。任意選択的に、端末デバイスが高速になると、第１のデータの送信期間が短くなる。任意選択的に、第１のデータは、Ｖ２Ｘ通信データ又はＤ２Ｄ通信データを含む。
【００７９】
処理ユニット３０１はさらに、第１のリソースの設定情報を取得するように構成され、第１のリソースは、第１のデータの送信に用いることができない。
【００８０】
任意選択の一実施形態において、第１のリソースは同期サブフレーム又は予約サブフレームである。第１のリソースの設定情報は、同期サブフレーム又は予約サブフレームの期間、及びオフセットｏｆｆｓｅｔを含む。同期サブフレームは、同期信号の送信又は受信に用いられるサブフレームであり、予約サブフレームは、Ｖ２Ｘ通信に用いることができないサブフレームである。オフセットは、システムフレーム番号（Ｓｙｓｔｅｍ  Ｆｒａｍｅ  Ｎｕｍｂｅｒ、ＳＦＮ）サイクルの１番目のサブフレームに対するシステムフレーム番号サイクルの１番目の同期サブフレームのオフセットであるか、又は、オフセットは、ダイレクトフレーム番号（Ｄｉｒｅｃｔ  Ｆｒａｍｅ  Ｎｕｍｂｅｒ，  ＤＦＮ）サイクルの１番目のサブフレームに対するダイレクトフレーム番号サイクルの１番目の同期サブフレームのオフセットである。任意選択的に、図３に示す実施形態では、第１のリソースは同期サブフレームであってもよく、又は予約サブフレームであってもよい。しかしながら、図３の実施形態では、第１のリソースが同期サブフレームであることが、一例として詳細な説明に用いられる。図３の実施形態では、全ての同期サブフレームが予約サブフレームと置き換えられてよい。
【００８１】
任意選択の一実施形態において、処理ユニット３０１が第１のリソースの設定情報を取得することは、端末デバイスが、予め設定された情報に基づいて、第１のリソースの設定情報を取得することを含む。任意選択的に、端末デバイスはさらに受信ユニット３０２を含む。処理ユニット３０１が第１のリソースの設定情報を取得することは、受信ユニット３０２が第１のリソースの設定情報をアクセスネットワークデバイスから受信することと置き換えられてよい。言い換えれば、受信ユニット３０２は第１のリソースの設定情報をアクセスネットワークデバイスから受信し、アクセスネットワークデバイスは第１のリソースの設定情報を受信ユニット３０２に送信する。
【００８２】
処理ユニット３０１はさらに、第１のリソースの設定情報と第１のデータの送信期間とに基づいて、第２のリソースを決定するように構成される。
【００８３】
任意選択の一実施形態において、第２のリソースは、第１のリソースの設定情報と第１のデータの送信期間とに基づいて決定され、また第１のデータの送信に用いることができないリソースであり、第２のリソースは第１のリソース及び第３のリソースを含み、第３のリソースは、第１のデータの少なくとも１つの送信期間の分だけ第１のリソースから分離されている。任意選択的に、第１のリソース及び第３のリソースは異なるリソースであり、第３のリソースは、第１のデータの少なくとも１つの送信期間の後の第１のリソースと一致する。
【００８４】
任意選択の一実施形態において、処理ユニット３０１が第１のリソースの設定情報と第１のデータの送信期間とに基づいて第２のリソースを決定することは、処理ユニット３０１が同期サブフレームの期間、オフセット、及び第１のデータの送信期間に基づいて第２のリソースを決定することを含む。
【００８５】
任意選択の一実施形態において、処理ユニット３０１が同期サブフレームの期間、オフセット、及び第１のデータの送信期間に基づいて第２のリソースを決定することは、処理ユニット３０１が同期サブフレームの期間と第１のデータの送信期間とに基づいて同期サブフレームの期間と第１のデータの送信期間との最大公約数Ｘを決定することと、処理ユニット３０１がオフセットと最大公約数Ｘとに基づいて第２のリソースを決定することとを含む。ここで、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットｏｆｆｓｅｔは、システムフレーム番号（Ｓｙｓｔｅｍ  Ｆｒａｍｅ  Ｎｕｍｂｅｒ、ＳＦＮ）サイクルの１番目のサブフレームに対するシステムフレーム番号サイクルの１番目の同期サブフレームのオフセットであるか、又は、オフセットｏｆｆｓｅｔは、ダイレクトフレーム番号（Ｄｉｒｅｃｔ  Ｆｒａｍｅ  Ｎｕｍｂｅｒ、ＤＦＮ）サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値、すなわち、｜ｋ−ｏｆｆｓｅｔ｜を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。１つのシステムフレームは１０個のサブフレームを含み、１つのシステムフレーム番号サイクル（ＳＦＮ  ｃｙｃｌｅ）は１０２４個のシステムフレームを含む。１０２４個のシステムフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、システムフレーム番号サイクルの１番目のサブフレームがサブフレーム０である。１つのダイレクトフレームは１０個のサブフレームを含み、１つのダイレクトフレーム番号サイクル（ＤＦＮ  ｃｙｃｌｅ）は１０２４個のダイレクトフレームを含む。１０２４個のダイレクトフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、ダイレクトフレーム番号サイクルの１番目のサブフレームがサブフレーム０である。
【００８６】
任意選択の一実施形態において、同期サブフレームは周期的に現れ、オフセットは、システムフレーム番号サイクルの１番目のサブフレーム（サブフレーム０）に対してシステムフレーム番号サイクルの１番目の同期サブフレームだけオフセットしたサブフレームの個数であるか、又は、オフセットは、ダイレクトフレーム番号サイクルの１番目のサブフレーム（サブフレーム０）に対してダイレクトフレーム番号サイクルの１番目の同期サブフレームだけオフセットしたサブフレームの個数である。例えば、システムフレーム番号サイクルの同期サブフレームが５番目のサブフレームに最初に現れた場合、オフセットは５つのサブフレームであり、次に、システムフレーム番号サイクルの同期サブフレームが、同期サブフレームの期間に基づいて継続して現れる。
【００８７】
処理ユニット３０１はさらに、第１のデータを送信するために第２のリソース以外のリソースを選択するように構成される。
【００８８】
任意選択の一実施形態において、処理ユニット３０１が第１のデータを送信するために第２のリソース以外のリソースを選択することは、処理ユニット３０１が、第２のリソースを除くデータ送信リソース選択ウィンドウ内のリソースから、第１のデータを送信するリソースを選択することを含む。
【００８９】
任意選択の一実施形態において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【００９０】
任意選択の一実施形態において、処理ユニット３０１はプロセッサ４０１であってよく、受信ユニット３０２は受信機４０２であってよく、受信機４０２は送受信機と置き換えられてよい。その上、端末デバイスはさらにメモリ４０３を含み、メモリ４０３は、端末デバイスのプログラムコード及びデータを格納するように構成されてよい。具体的には、図４に示すように、端末デバイスはプロセッサ４０１を含み、端末デバイスはさらに受信機４０２を含んでよい。
【００９１】
本出願のこの実施形態によれば、第１のリソースは、Ｖ２Ｘ通信データの伝送にもＤ２Ｄ通信データの伝送にも用いることができないリソースであり、端末デバイスは、第１のリソースの設定情報と第１のデータの送信期間とに基づいて第２のリソースを決定する。また、第２のリソースも、Ｖ２Ｘ通信データの伝送にもＤ２Ｄ通信データの伝送にも用いることができないリソースであり、端末デバイスは、第１のデータを送信するために第２のリソース以外のリソースを選択する。したがって、Ｖ２Ｘ通信データ又はＤ２Ｄ通信データに用いるリソースを選択する場合、端末デバイスは、Ｖ２Ｘ通信データにもＤ２Ｄ通信データにも用いることができない第２のリソースを除外して、第２のリソースと、端末デバイスが第１のデータの送信に選択したリソースとの間の競合を回避し、Ｄ２Ｄ通信及びＶ２Ｘ通信の信頼性及びセキュリティを向上させる。
【００９２】
図５は、図２の実施形態における方法を実行するように構成されたアクセスネットワークデバイスの実行可能な概略構造図である。アクセスネットワークデバイスは送信ユニット５０１を含む。任意選択的に、アクセスネットワークデバイスはさらに処理ユニット５０２を含む。
【００９３】
送信ユニット５０１は、第１のリソースの設定情報を端末デバイスに送信するように構成され、第１のリソースは第１のデータの送信に用いることができず、第１のリソースの設定情報は、端末デバイスが第１のリソースの設定情報と第１のデータの送信期間とに基づいて第２のリソースを決定するのに用いられ、第２のリソースは、端末デバイスが第１のデータを送信するために第２のリソース以外のリソースを選択するのに用いられる。
【００９４】
任意選択の一実施形態において、第１のデータは、端末デバイスの少なくとも１つの情報、すなわち、速度情報、位置情報、及び状態情報を含む。端末デバイスは、第１のデータの送信期間に基づいて、第１のデータを周期的に送信する。送信期間はＰミリ秒又はＰ個のサブフレームであってよく、Ｐは正の整数である。任意選択的に、端末デバイスが高速になると、第１のデータの送信期間が短くなる。任意選択的に、第１のデータは、Ｖ２Ｘ通信データ又はＤ２Ｄ通信データを含む。
【００９５】
任意選択の一実施形態において、第２のリソースは、第１のリソースの設定情報と第１のデータの送信期間とに基づいて決定され、また第１のデータの送信に用いることができないリソースであり、第２のリソースは第１のリソース及び第３のリソースを含み、第３のリソースは、第１のデータの少なくとも１つの送信期間の分だけ第１のリソースから分離されている。任意選択的に、第１のリソース及び第３のリソースは異なるリソースであり、第３のリソースは、第１のデータの少なくとも１つの送信期間の後の第１のリソースと一致する。
【００９６】
任意選択の一実施形態において、第１のリソースは同期サブフレーム又は予約サブフレームである。第１のリソースの設定情報は、同期サブフレーム又は予約サブフレームの期間、及びオフセットｏｆｆｓｅｔを含む。同期サブフレームは、同期信号の送信又は受信に用いられるサブフレームであり、予約サブフレームは、Ｖ２Ｘ通信に用いることができないサブフレームである。オフセットは、システムフレーム番号（Ｓｙｓｔｅｍ  Ｆｒａｍｅ  Ｎｕｍｂｅｒ、ＳＦＮ）サイクルの１番目のサブフレームに対するシステムフレーム番号サイクルの１番目の同期サブフレームのオフセットであるか、又は、オフセットは、ダイレクトフレーム番号（Ｄｉｒｅｃｔ  Ｆｒａｍｅ  Ｎｕｍｂｅｒ，  ＤＦＮ）サイクルの１番目のサブフレームに対するダイレクトフレーム番号サイクルの１番目の同期サブフレームのオフセットである。任意選択的に、図５に示す実施形態では、第１のリソースは同期サブフレームであってもよく、又は予約サブフレームであってもよい。しかしながら、図５の実施形態では、第１のリソースが同期サブフレームであることが、一例として詳細な説明に用いられる。図５の実施形態では、全ての同期サブフレームが予約サブフレームと置き換えられてよい。
【００９７】
任意選択の一実施形態において、第１のリソースは同期サブフレームを含み、第１のリソースの設定情報は、同期サブフレームの期間と、オフセットｏｆｆｓｅｔとを含む。端末デバイスが第１のリソースの設定情報と第１のデータの送信期間とに基づいて第２のリソースを決定することは、端末デバイスが同期サブフレームの期間、オフセット、及び第１のデータの送信期間に基づいて第２のリソースを決定することを含む。
【００９８】
任意選択の一実施形態において、端末デバイスが同期サブフレームの期間、オフセット、及び第１のデータの送信期間に基づいて第２のリソースを決定することは、端末デバイスが同期サブフレームの期間と第１のデータの送信期間とに基づいて同期サブフレームの期間と第１のデータの送信期間との最大公約数Ｘを決定することと、端末デバイスがオフセットと最大公約数Ｘとに基づいて第２のリソースを決定することとを含む。ここで、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットｏｆｆｓｅｔは、システムフレーム番号（Ｓｙｓｔｅｍ  Ｆｒａｍｅ  Ｎｕｍｂｅｒ、ＳＦＮ）サイクルの１番目のサブフレームに対するシステムフレーム番号サイクルの１番目の同期サブフレームのオフセットであるか、又は、オフセットｏｆｆｓｅｔは、ダイレクトフレーム番号（Ｄｉｒｅｃｔ  Ｆｒａｍｅ  Ｎｕｍｂｅｒ、ＤＦＮ）サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値、すなわち、｜ｋ−ｏｆｆｓｅｔ｜を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。１つのシステムフレームは１０個のサブフレームを含み、１つのシステムフレーム番号サイクル（ＳＦＮ  ｃｙｃｌｅ）は１０２４個のシステムフレームを含む。１０２４個のシステムフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、システムフレーム番号サイクルの１番目のサブフレームがサブフレーム０である。１つのダイレクトフレームは１０個のサブフレームを含み、１つのダイレクトフレーム番号サイクル（ＤＦＮ  ｃｙｃｌｅ）は１０２４個のダイレクトフレームを含む。１０２４個のダイレクトフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、ダイレクトフレーム番号サイクルの１番目のサブフレームがサブフレーム０である。
【００９９】
任意選択の一実施形態において、同期サブフレームは周期的に現れ、オフセットは、システムフレーム番号サイクルの１番目のサブフレーム（サブフレーム０）に対してシステムフレーム番号サイクルの１番目の同期サブフレームだけオフセットしたサブフレームの個数であるか、又は、オフセットは、ダイレクトフレーム番号サイクルの１番目のサブフレーム（サブフレーム０）に対してダイレクトフレーム番号サイクルの１番目の同期サブフレームだけオフセットしたサブフレームの個数である。例えば、システムフレーム番号サイクルの同期サブフレームが５番目のサブフレームに最初に現れた場合、オフセットは５つのサブフレームであり、次に、システムフレーム番号サイクルの同期サブフレームが、同期サブフレームの期間に基づいて継続して現れる。
【０１００】
任意選択の一実施形態において、端末デバイスが第１のデータを送信するために第２のリソース以外のリソースを選択することは、端末デバイスが、第２のリソースを除くデータ送信リソース選択ウィンドウ内のリソースから、第１のデータを送信するリソースを選択することを含む。
【０１０１】
任意選択の一実施形態において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【０１０２】
任意選択の一実施形態において、送信ユニット５０１は送信機６０１であってよく、送信機６０１は送受信機と置き換えられてよい。その上、基地局はさらに、プロセッサ６０２及びメモリ６０３を含んでよく、メモリ６０３は、端末デバイスのプログラムコード及びデータを格納するように構成される。具体的には、図６に示すように、端末デバイスは、送信機６０１、プロセッサ６０２、及びメモリ６０３を含む。
【０１０３】
本出願のこの実施形態によれば、第１のリソースは、Ｖ２Ｘ通信データの伝送にもＤ２Ｄ通信データの伝送にも用いることができないリソースであり、端末デバイスは、第１のリソースの設定情報と第１のデータの送信期間とに基づいて第２のリソースを決定する。また、第２のリソースも、Ｖ２Ｘ通信データの伝送にもＤ２Ｄ通信データの伝送にも用いることができないリソースであり、端末デバイスは、第１のデータを送信するために第２のリソース以外のリソースを選択する。したがって、Ｖ２Ｘ通信データ又はＤ２Ｄ通信データに用いるリソースを選択する場合、端末デバイスは、Ｖ２Ｘ通信データにもＤ２Ｄ通信データにも用いることができない第２のリソースを除外して、第２のリソースと、端末デバイスが第１のデータの送信に選択したリソースとの間の競合を回避し、Ｄ２Ｄ通信及びＶ２Ｘ通信の信頼性及びセキュリティを向上させる。
【０１０４】
以下では、図７を一例として用い、図２の実施形態における方法を具体的に説明する。
【０１０５】
段階７１：端末デバイスは、第１のデータの送信期間を取得する。
【０１０６】
任意選択の一実施形態において、第１のデータは、端末デバイスの少なくとも１つの情報、すなわち、速度情報、位置情報、及び状態情報を含む。端末デバイスは、第１のデータの送信期間に基づいて、第１のデータを周期的に送信する。例えば、第１のデータの送信期間は１００ミリ秒であり、１つのサブフレームが時間領域において１ミリ秒を占有するので、第１のデータの送信期間は１００個のサブフレームに変換されてよい。任意選択的に、端末デバイスが高速になると、第１のデータの送信期間が短くなる。任意選択的に、第１のデータは、Ｖ２Ｘ通信データ又はＤ２Ｄ通信データを含む。
【０１０７】
段階７２：端末デバイスは、第１のリソースの設定情報を取得する。第１のリソースは、第１のデータの送信に用いることができない。
【０１０８】
任意選択の一実施形態において、第１のリソースは同期サブフレーム又は予約サブフレームである。図７の実施形態では、第１のリソースが同期サブフレームであることが、一例として詳細な説明に用いられる。第１のリソースの設定情報は、同期サブフレームの期間と、オフセットｏｆｆｓｅｔとを含む。同期サブフレームは、同期信号を送信又は受信するのに用いられるサブフレームであり、予約サブフレームは、Ｖ２Ｘ通信に用いることができないサブフレームであり、オフセットは、サブフレーム０に対する同期サブフレームのオフセットである。例えば、図７に示すように、オフセットが０であり、同期サブフレームの期間が１６０ミリ秒、すなわち１６０個のサブフレームである。具体的には、同期サブフレームはサブフレーム０から始まり、１６０個のサブフレームごとに現れる。図７の例において、同期サブフレームは少なくとも、ｎ−３２０、ｎ−１６０、ｎ、ｎ＋１６０、及びｎ＋３２０などを含む。これらの同期サブフレームは、Ｖ２Ｘ通信にもＤ２Ｄ通信にも用いることができない。任意選択的に、図７に示す実施形態では、第１のリソースは同期サブフレームであってもよく、又は予約サブフレームであってもよい。しかしながら、図７の実施形態では、第１のリソースが同期サブフレームであることが、一例として詳細な説明に用いられる。図７の実施形態では、全ての同期サブフレームが予約サブフレームと置き換えられてよい。
【０１０９】
任意選択の一実施形態において、端末デバイスが第１のリソースの設定情報を取得する方式が少なくとも２つある。第１の方式では、端末デバイスは第１のリソースの設定情報をアクセスネットワークデバイスから受信し、アクセスネットワークデバイスは第１のリソースの設定情報を端末デバイスに送信する。第２の方式では、端末デバイスは、予め設定された情報に基づいて、第１のリソースの設定情報を取得する。
【０１１０】
任意選択的ではあるが、段階７１及び段階７２を実行する順序は、限定されるものではない。
【０１１１】
段階７３：端末デバイスは、第１のリソースの設定情報と第１のデータの送信期間とに基づいて、第２のリソースを決定する。
【０１１２】
任意選択の一実施形態において、第２のリソースは、第１のリソースの設定情報と第１のデータの送信期間とに基づいて決定され、また第１のデータの送信に用いることができないリソースであり、第２のリソースは第１のリソース及び第３のリソースを含み、第３のリソースは、第１のデータの少なくとも１つの送信期間の分だけ第１のリソースから分離されている。任意選択的に、第１のリソース及び第３のリソースは異なるリソースであり、第３のリソースは、第１のデータの少なくとも１つの送信期間の後の第１のリソースと一致する。
【０１１３】
任意選択の一実施形態において、端末デバイスが第１のリソースの設定情報と第１のデータの送信期間とに基づいて第２のリソースを決定することは、端末デバイスが同期サブフレームの期間、オフセット、及び第１のデータの送信期間に基づいて第２のリソースを決定することを含む。
【０１１４】
任意選択の一実施形態において、同期サブフレームの期間、オフセット、及び第１のデータの送信期間に基づいて端末デバイスが第２のリソースを決定することは、２つの段階を含む。
【０１１５】
第１の段階：端末デバイスは、同期サブフレームの期間と第１のデータの送信期間とに基づいて、同期サブフレームの期間と第１のデータの送信期間との最大公約数Ｘを決定する。図７に示すように、同期サブフレームの期間は１６０ミリ秒であり、第１のデータの送信期間は１００ミリ秒であり、したがって、同期サブフレームの期間と第１のデータの送信期間との最大公約数は２０ミリ秒、すなわち２０個のサブフレームである。
【０１１６】
第２の段階：端末デバイスは、オフセットと最大公約数Ｘとに基づいて第２のリソースを決定し、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットｏｆｆｓｅｔは、システムフレーム番号（Ｓｙｓｔｅｍ  Ｆｒａｍｅ  Ｎｕｍｂｅｒ、ＳＦＮ）サイクルの１番目のサブフレームに対するシステムフレーム番号サイクルの１番目の同期サブフレームのオフセットであるか、又は、オフセットｏｆｆｓｅｔは、ダイレクトフレーム番号（Ｄｉｒｅｃｔ  Ｆｒａｍｅ  Ｎｕｍｂｅｒ、ＤＦＮ）サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値、すなわち、｜ｋ−ｏｆｆｓｅｔ｜を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。１つのシステムフレームは１０個のサブフレームを含み、１つのシステムフレーム番号サイクル（ＳＦＮ  ｃｙｃｌｅ）は１０２４個のシステムフレームを含む。１０２４個のシステムフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、システムフレーム番号サイクルの１番目のサブフレームがサブフレーム０である。１つのダイレクトフレームは１０個のサブフレームを含み、１つのダイレクトフレーム番号サイクル（ＤＦＮ  ｃｙｃｌｅ）は１０２４個のダイレクトフレームを含む。１０２４個のダイレクトフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、ダイレクトフレーム番号サイクルの１番目のサブフレームがサブフレーム０である。図７に示すように、ｍｏｄ（ａｂｓ（ｋ−０），２０）＝０の式に従って求められたｋの値は、２０の整数倍、例えば、ｎ−３２０、ｎ−１６０、ｎ、ｎ＋２０、ｎ＋１２０、ｎ＋１６０、ｎ＋２２０、及びｎ＋３２０となるサブフレームを示してよい。サブフレーム番号ｋがｍｏｄ（ａｂｓ（ｋ−０），２０）＝０の数式を満たすサブフレームが、第２のリソースである。図７は、全てが最大公約数２０の整数倍となるｎ＋４０、ｎ＋６０、ｎ＋８０、及びｎ＋１００などの、ｍｏｄ（ａｂｓ（ｋ−０），２０）＝０の数式を満たすサブフレーム番号ｋを全て示しているわけではない。具体的には、これらのサブフレームの全てがこの式を満たし、したがって、これらのリソースはＶ２Ｘ通信にもＤ２Ｄ通信にも用いることができない。任意選択的に、第１の段階及び第２の段階は別々に完了してもよく、又は１つの段階で完了してもよい。
【０１１７】
図７に示す第２のリソースは、第１のリソース及び第３のリソースを含む。第１のリソースは、ｎ−３２０、ｎ−１６０、ｎ、ｎ＋１６０、及びｎ＋３２０などを含み、第１のリソースは同期サブフレームであり、Ｖ２Ｘ通信にもＤ２Ｄ通信にも用いることができない。第３のリソースは、ｎ＋２０、ｎ＋１２０、及びｎ＋２２０などを含む。第３のリソースは同期サブフレームではないが、第３のリソースは、第１のデータの少なくとも１つの送信期間の後に同期サブフレームになる。したがって、端末デバイスが第３のリソースを選択して第１のデータを送信する場合、第３のリソースは、第１のデータの少なくとも１つの送信期間の後に、同期サブフレームと競合し得る。第３のリソースｎ＋２０を選択して第１のデータを送信する場合、第１のデータの送信期間が１００ミリ秒（１００個のサブフレーム）であるため、端末デバイスは第１のデータをｎ＋１２０、ｎ＋２２０、及びｎ＋３２０で送信し、同期サブフレームもサブフレームｎ＋３２０に現れるので、次に、第１のデータ及び同期サブフレームの両方がサブフレームｎ＋３２０で伝送される。したがって、第３のリソースは、Ｖ２Ｘ通信又はＤ２Ｄ通信のいずれにも用いることができない。
【０１１８】
段階７４：端末デバイスは、第１のデータを送信するために第２のリソース以外のリソースを選択する。図７に示すように、端末デバイスは、ｎ−３２０、ｎ−１６０、ｎ、ｎ＋２０、ｎ＋１２０、ｎ＋１６０、ｎ＋２２０、及びｎ＋３２０以外のリソースを選択して、第１のデータを送信する。
【０１１９】
任意選択の一実施形態において、端末デバイスが第１のデータを送信するために第２のリソース以外のリソースを選択することは、端末デバイスが、第２のリソースを除くデータ送信リソース選択ウィンドウ内のリソースから、第１のデータを送信するリソースを選択することを含む。図７に示すように、データ送信リソース選択ウィンドウがｎからｎ＋３２０までの範囲である場合、端末デバイスは、ｎ、ｎ＋２０、ｎ＋１２０、ｎ＋１６０、ｎ＋２２０、及びｎ＋３２０を除外して、第１のデータを送信する別のリソースを選択する。
【０１２０】
任意選択の一実施形態において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。例えば、第１のデータの送信期間が８０ミリ秒である場合、８０ミリ秒≦Ｙ≦１００ミリ秒となる。また、Ｙが８５ミリ秒である場合、データ送信リソース選択ウィンドウの長さは８５ミリ秒より短い。
【０１２１】
本出願のこの実施形態によれば、第１のリソースは、Ｖ２Ｘ通信データの伝送にもＤ２Ｄ通信データの伝送にも用いることができないリソースであり、端末デバイスは、第１のリソースの設定情報と第１のデータの送信期間とに基づいて第２のリソースを決定する。また、第２のリソースも、Ｖ２Ｘ通信データの伝送にもＤ２Ｄ通信データの伝送にも用いることができないリソースであり、端末デバイスは、第１のデータを送信するために第２のリソース以外のリソースを選択する。したがって、Ｖ２Ｘ通信データ又はＤ２Ｄ通信データに用いるリソースを選択する場合、端末デバイスは、Ｖ２Ｘ通信データにもＤ２Ｄ通信データにも用いることができない第２のリソースを除外して、第２のリソースと、端末デバイスが第１のデータの送信に選択したリソースとの間の競合を回避し、Ｄ２Ｄ通信及びＶ２Ｘ通信の信頼性及びセキュリティを向上させる。
【０１２２】
図８は、本出願の一実施形態によるデータ送信方法及びシステムを示す。具体的な段階は次の通りである。
【０１２３】
段階８１：端末デバイスは、第１のリソースの設定情報を取得する。第１のリソースは、第１のデータの送信に用いることができない。任意選択的に、第１のリソースはダウンリンクサブフレーム又は特別なサブフレームを含み、ダウンリンクサブフレーム又は特別なサブフレームは、時分割複信（Ｔｉｍｅ  Ｄｉｖｉｓｉｏｎ  Ｄｕｐｌｅｘ、ＴＤＤ）システムのダウンリンクサブフレームであっても又は特別なサブフレームであってもよい。
【０１２４】
任意選択の一実施形態において、端末デバイスが第１のリソースの設定情報を取得することは、端末デバイスが第１のリソースの設定情報をアクセスネットワークデバイスから受信し、アクセスネットワークデバイスが第１のリソースの設定情報を端末デバイスに送信すること、又は、端末デバイスが予め設定された情報に基づいて第１のリソースの設定情報を取得することを含む。
【０１２５】
段階８２：端末デバイスは、第１のデータを送信するために第１のリソース以外のリソースを選択する。
【０１２６】
任意選択の一実施形態において、端末デバイスが第１のデータを送信するために第２のリソース以外のリソースを選択することは、端末デバイスが、第２のリソースを除くデータ送信リソース選択ウィンドウ内のリソースから、第１のデータを送信するリソースを選択することを含む。
【０１２７】
任意選択の一実施形態において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【０１２８】
本出願のこの実施形態によれば、第１のリソースは、Ｖ２Ｘ通信データの伝送にもＤ２Ｄ通信データの伝送にも用いることができないリソースであり、端末デバイスは、第１のデータを送信するために第１のリソース以外のリソースを選択する。したがって、Ｖ２Ｘ通信データ又はＤ２Ｄ通信データに用いるリソースを選択する場合、端末デバイスは、Ｖ２Ｘ通信データにもＤ２Ｄ通信データにも用いることができない第１のリソースを除外して、第１のリソースと、端末デバイスが第１のデータの送信に選択したリソースとの間の競合を回避し、Ｄ２Ｄ通信及びＶ２Ｘ通信の信頼性及びセキュリティを向上させる。
【０１２９】
図９は、図８の実施形態における方法を実行するように構成された端末デバイスの実行可能な概略構造図である。端末デバイスは、処理ユニット９０１を含む。
【０１３０】
処理ユニット９０１は、第１のリソースの設定情報を取得するように構成され、第１のリソースは、第１のデータの送信に用いることができない。任意選択的に、第１のリソースはダウンリンクサブフレーム又は特別なサブフレームを含み、ダウンリンクサブフレーム又は特別なサブフレームは、時分割複信（Ｔｉｍｅ  Ｄｉｖｉｓｉｏｎ  Ｄｕｐｌｅｘ、ＴＤＤ）システムのダウンリンクサブフレームであっても又は特別なサブフレームであってもよい。
【０１３１】
任意選択の一実施形態において、処理ユニット９０１が第１のリソースの設定情報を取得することは、端末デバイスが、予め設定された情報に基づいて、第１のリソースの設定情報を取得することを含む。任意選択的に、端末デバイスはさらに受信ユニット９０２を含む。処理ユニット９０１が第１のリソースの設定情報を取得することは、受信ユニット９０２が第１のリソースの設定情報をアクセスネットワークデバイスから受信することと置き換えられてよい。言い換えれば、受信ユニット９０２は第１のリソースの設定情報をアクセスネットワークデバイスから受信し、アクセスネットワークデバイスは第１のリソースの設定情報を受信ユニット９０２に送信する。
【０１３２】
処理ユニット９０１はさらに、第１のデータを送信するために第１のリソース以外のリソースを選択するように構成される。
【０１３３】
任意選択の一実施形態において、処理ユニット９０１が第１のデータを送信するために第２のリソース以外のリソースを選択することは、処理ユニット９０１が、第２のリソースを除くデータ送信リソース選択ウィンドウ内のリソースから、第１のデータを送信するリソースを選択することを含む。
【０１３４】
任意選択の一実施形態において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【０１３５】
本出願のこの実施形態によれば、第１のリソースは、Ｖ２Ｘ通信データの伝送にもＤ２Ｄ通信データの伝送にも用いることができないリソースであり、端末デバイスは、第１のデータを送信するために第１のリソース以外のリソースを選択する。したがって、Ｖ２Ｘ通信データ又はＤ２Ｄ通信データに用いるリソースを選択する場合、端末デバイスは、Ｖ２Ｘ通信データにもＤ２Ｄ通信データにも用いることができない第１のリソースを除外して、第１のリソースと、端末デバイスが第１のデータの送信に選択したリソースとの間の競合を回避し、Ｄ２Ｄ通信及びＶ２Ｘ通信の信頼性及びセキュリティを向上させる。
【０１３６】
図１０は、図８の実施形態における方法を実行するように構成されたアクセスネットワークデバイスの実行可能な概略構造図である。端末デバイスは送信ユニット１００１を含む。任意選択的に、アクセスネットワークデバイスはさらに処理ユニット１００２を含む。
【０１３７】
送信ユニット１００１は、第１のリソースの設定情報を端末デバイスに送信し、第１のリソースの設定情報は、端末デバイスが第１のデータを送信するために第１のリソース以外のリソースを選択するのに用いられ、第１のリソースは、第１のデータの送信に用いることができない。任意選択的に、第１のリソースはダウンリンクサブフレーム又は特別なサブフレームを含み、ダウンリンクサブフレーム又は特別なサブフレームは、時分割複信（Ｔｉｍｅ  Ｄｉｖｉｓｉｏｎ  Ｄｕｐｌｅｘ、ＴＤＤ）システムのダウンリンクサブフレームであっても又は特別なサブフレームであってもよい。
【０１３８】
任意選択の一実施形態において、端末デバイスが第１のデータを送信するために第１のリソース以外のリソースを選択することは、端末デバイスが、第１のリソースを除くデータ送信リソース選択ウィンドウ内のリソースから、第１のデータを送信するリソースを選択することを含む。
【０１３９】
任意選択の一実施形態において、データ送信リソース選択ウィンドウの長さは、第１の値Ｙより短いかそれに等しく、第１の値Ｙは、［第１のデータの送信期間］≦Ｙ≦１００ミリ秒、という不等式を満たす。
【０１４０】
本出願のこの実施形態によれば、第１のリソースは、Ｖ２Ｘ通信データの伝送にもＤ２Ｄ通信データの伝送にも用いることができないリソースであり、端末デバイスは、第１のデータを送信するために第１のリソース以外のリソースを選択する。したがって、Ｖ２Ｘ通信データ又はＤ２Ｄ通信データに用いるリソースを選択する場合、端末デバイスは、Ｖ２Ｘ通信データにもＤ２Ｄ通信データにも用いることができない第１のリソースを除外して、第１のリソースと、端末デバイスが第１のデータの送信に選択したリソースとの間の競合を回避し、Ｄ２Ｄ通信及びＶ２Ｘ通信の信頼性及びセキュリティを向上させる。
【０１４１】
本出願において提供されるいくつかの実施形態では、開示されるシステム、装置、及び方法が他の方式で実現されてもよいことを理解されたい。例えば、説明される装置の実施形態は、単に例であるにすぎない。例えば、ユニットの分割は単に論理的な機能分割にすぎず、実際に実装する際には他の分割であってもよい。例えば、複数のユニット若しくはコンポーネントが組み合わされても、又は別のシステムに統合されてもよい。あるいは、いくつかの特徴が無視されても又は実行されなくてもよい。さらに、表示又は説明された相互連結若しくは直接連結若しくは通信接続は、いくつかのインタフェースを介して実現されてよい。装置間又はユニット間の間接連結又は通信接続は、電気的形態、機械的形態、又は他の形態で実現されてよい。
【０１４２】
別個の部分として説明された複数のユニットは物理的に分離されていてもいなくてもよく、また複数のユニットとして表示された部分が、物理ユニットであってもなくてもよく、１か所に配置されてもよく、又は複数のネットワークユニットに分散されてもよい。これらのユニットの一部又は全ては、各実施形態の解決手段の目的を実現するために、実際の必要条件に応じて選択されてよい。
【０１４３】
さらに、本出願の実施形態における各機能ユニットは、１つの処理ユニットに統合されてもよく、又は、これらのユニットのそれぞれが物理的に単独で存在してもよく、又は、少なくとも２つユニットが１つのユニットに統合される。この統合ユニットは、ハードウェアの形態で実現されてもよく、又はソフトウェア機能ユニットの形態で実現されてもよい。
【０１４４】
統合ユニットがソフトウェア機能ユニットの形態で実現され、個別の製品として販売されるか又は用いられる場合、この統合ユニットは、コンピュータ可読記憶媒体に格納されてよい。そのような理解に基づいて、本質的には本出願の技術的解決手段、又は先行技術に寄与する部分、又はこの技術的解決手段の全て若しくは一部が、ソフトウェア製品の形態で実現されてよい。コンピュータソフトウェア製品は、記憶媒体に格納されており、本出願の実施形態において説明された方法の段階を全て又は一部実行するようコンピュータデバイス（これは、パーソナルコンピュータ、サーバ、又はネットワークデバイスなどであってよい）に命令するいくつかの命令を含む。前述の記憶媒体には、プログラムコードを格納できるあらゆる媒体、例えば、ＵＳＢフラッシュデバイス、着脱式ハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクなどが含まれる。
【図１】
2020503737.tif 000003
【図２】
2020503737.tif 000004
【図３】
2020503737.tif 000005
【図４】
2020503737.tif 000006
【図５】
2020503737.tif 000007
【図６】
2020503737.tif 000008
【図７】
2020503737.tif 000009
【図８】
2020503737.tif 000010
【図９】
2020503737.tif 000011
【図１０】
2020503737.tif 000012
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
データ送信方法であって、
端末デバイスが第１のデータの送信期間を取得する段階と、
前記端末デバイスが第１のリソースの設定情報を取得する段階であって、前記第１のリソースは前記第１のデータを送信するためのリソースではない、段階と、
前記端末デバイスが前記第１のリソースの前記設定情報と前記第１のデータの前記送信期間とに基づいて第２のリソースを決定する段階と、
前記端末デバイスが前記第１のデータを送信するために前記第２のリソース以外のリソースを選択する段階と
を備える方法。
【請求項２】
前記第２のリソースは前記第１のリソース及び第３のリソースを含み、前記第３のリソースは、前記第１のデータの少なくとも１つの送信期間の分だけ前記第１のリソースから分離されている、請求項１に記載の方法。
【請求項３】
前記第１のリソースは同期サブフレームを含み、前記第１のリソースの前記設定情報は、前記同期サブフレームの期間と、オフセットとを含み、
前記端末デバイスが前記第１のリソースの前記設定情報と前記第１のデータの前記送信期間とに基づいて第２のリソースを前記決定する段階は、
前記端末デバイスが前記同期サブフレームの前記期間、前記オフセット、及び前記第１のデータの前記送信期間に基づいて前記第２のリソースを決定する段階を含む、請求項１又は２に記載の方法。
【請求項４】
前記端末デバイスが前記同期サブフレームの前記期間、前記オフセット、及び前記第１のデータの前記送信期間に基づいて前記第２のリソースを前記決定する段階は、
前記端末デバイスが、前記同期サブフレームの前記期間と前記第１のデータの前記送信期間とに基づいて、前記同期サブフレームの前記期間と前記第１のデータの前記送信期間との最大公約数Ｘを決定する段階と、
前記端末デバイスが前記オフセット及び前記最大公約数Ｘに基づいて前記第２のリソースを決定する段階と
を含み、
前記第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、前記オフセットは、システムフレーム番号サイクルの１番目のサブフレームに対する前記システムフレーム番号サイクルの１番目の同期サブフレームのオフセットであるか、又は、前記オフセットは、ダイレクトフレーム番号サイクルの１番目のサブフレームに対する前記ダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す、請求項３に記載の方法。
【請求項５】
前記端末デバイスが前記第１のデータを送信するために前記第２のリソース以外のリソースを前記選択する段階は、
前記端末デバイスが、前記第２のリソースを除くデータ送信リソース選択ウィンドウ内のリソースから、前記第１のデータを送信する前記リソースを選択する段階を含む、請求項１から４のいずれか一項に記載の方法。
【請求項６】
前記データ送信リソース選択ウィンドウの長さは、第１の値Ｙより短いかそれに等しく、
前記第１の値Ｙは、［前記第１のデータの前記送信期間］≦Ｙ≦１００ミリ秒、という不等式を満たす、請求項５に記載の方法。
【請求項７】
前記端末デバイスが第１のリソースの設定情報を前記取得する段階は、
前記端末デバイスが前記第１のリソースの前記設定情報をアクセスネットワークデバイスから受信する段階、又は、
予め設定された情報に基づいて前記端末デバイスが前記第１のリソースの前記設定情報を取得する段階を含む、請求項１から６のいずれか一項に記載の方法。
【請求項８】
第１のデータの送信期間を取得するように構成された処理ユニットを備える端末デバイスであって、
前記処理ユニットはさらに、第１のリソースの設定情報を取得するように構成され、前記第１のリソースは前記第１のデータを送信するためのリソースではなく、
前記処理ユニットはさらに、前記第１のリソースの前記設定情報と前記第１のデータの前記送信期間とに基づいて第２のリソースを決定するように構成され、
前記処理ユニットはさらに、前記第１のデータを送信するために前記第２のリソース以外のリソースを選択するように構成される、端末デバイス。
【請求項９】
前記第２のリソースは前記第１のリソース及び第３のリソースを含み、前記第３のリソースは、前記第１のデータの少なくとも１つの送信期間の分だけ前記第１のリソースから分離されている、請求項８に記載の端末デバイス。
【請求項１０】
前記第１のリソースは同期サブフレームを含み、前記第１のリソースの前記設定情報は、前記同期サブフレームの期間と、オフセットとを含み、
前記処理ユニットがさらに、前記第１のリソースの前記設定情報と前記第１のデータの前記送信期間とに基づいて第２のリソースを決定するように構成されることは、
前記処理ユニットが前記同期サブフレームの前記期間、前記オフセット、及び前記第１のデータの前記送信期間に基づいて前記第２のリソースを決定するように構成されることを含む、請求項８又は９に記載の端末デバイス。
【請求項１１】
前記処理ユニットが前記同期サブフレームの前記期間、前記オフセット、及び前記第１のデータの前記送信期間に基づいて前記第２のリソースを決定するように構成されることは、
前記処理ユニットが、前記同期サブフレームの前記期間と前記第１のデータの前記送信期間とに基づいて、前記同期サブフレームの前記期間と前記第１のデータの前記送信期間との最大公約数Ｘを決定するように構成されることと、
前記処理ユニットが前記オフセット及び前記最大公約数Ｘに基づいて前記第２のリソースを決定するように構成されることと
を含み、
前記第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、前記オフセットは、システムフレーム番号サイクルの１番目のサブフレームに対する前記システムフレーム番号サイクルの１番目の同期サブフレームのオフセットであるか、又は、前記オフセットは、ダイレクトフレーム番号サイクルの１番目のサブフレームに対する前記ダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す、請求項１０に記載の端末デバイス。
【請求項１２】
前記処理ユニットがさらに、前記第１のデータを送信するために前記第２のリソース以外のリソースを選択するように構成されることは、
前記処理ユニットが、前記第２のリソースを除くデータ送信リソース選択ウィンドウ内のリソースから、前記第１のデータを送信する前記リソースを選択するように構成されることを含む、請求項８から１１のいずれか一項に記載の端末デバイス。
【請求項１３】
前記データ送信リソース選択ウィンドウの長さは、第１の値Ｙより短いかそれに等しく、
前記第１の値Ｙは、［前記第１のデータの前記送信期間］≦Ｙ≦１００ミリ秒、という不等式を満たす、請求項１２に記載の端末デバイス。
【請求項１４】
前記処理ユニットが第１のリソースの設定情報を取得するように構成されることは、
予め設定された情報に基づいて、前記処理ユニットが前記第１のリソースの前記設定情報を取得するように構成されること、又は、
前記端末デバイスがさらに受信ユニットを含み、前記受信ユニットは前記第１のリソースの前記設定情報をアクセスネットワークデバイスから受信することを含む、請求項８から１３のいずれか一項に記載の端末デバイス。
【請求項１５】
アクセスネットワークデバイスが第１のリソースの設定情報を端末デバイスに送信する段階を備えるデータ送信方法であって、前記第１のリソースは第１のデータを送信するためのリソースではなく、前記第１のリソースの前記設定情報は、前記端末デバイスが前記第１のリソースの前記設定情報と前記第１のデータの送信期間とに基づいて第２のリソースを決定するのに用いられ、前記第２のリソースは、前記端末デバイスが前記第１のデータを送信するために前記第２のリソース以外のリソースを選択するのに用いられる、方法。
【請求項１６】
前記第２のリソースは前記第１のリソース及び第３のリソースを含み、前記第３のリソースは、前記第１のデータの少なくとも１つの送信期間の分だけ前記第１のリソースから分離されている、請求項１５に記載の方法。
【請求項１７】
前記第１のリソースは同期サブフレームを含み、前記第１のリソースの前記設定情報は、前記同期サブフレームの期間と、オフセットとを含み、
前記端末デバイスが前記第１のリソースの前記設定情報と前記第１のデータの送信期間とに基づいて第２のリソースを前記決定する段階は、
前記端末デバイスが前記同期サブフレームの前記期間、前記オフセット、及び前記第１のデータの前記送信期間に基づいて前記第２のリソースを決定する段階を含む、請求項１５又は１６に記載の方法。
【請求項１８】
前記端末デバイスが前記同期サブフレームの前記期間、前記オフセット、及び前記第１のデータの前記送信期間に基づいて前記第２のリソースを前記決定する段階は、
前記端末デバイスが、前記同期サブフレームの前記期間と前記第１のデータの前記送信期間とに基づいて、前記同期サブフレームの前記期間と前記第１のデータの前記送信期間との最大公約数Ｘを決定する段階と、
前記端末デバイスが前記オフセット及び前記最大公約数Ｘに基づいて前記第２のリソースを決定する段階と
を含み、
前記第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、前記オフセットは、システムフレーム番号サイクルの１番目のサブフレームに対する前記システムフレーム番号サイクルの１番目の同期サブフレームのオフセットであるか、又は、前記オフセットは、ダイレクトフレーム番号サイクルの１番目のサブフレームに対する前記ダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す、請求項１７に記載の方法。
【請求項１９】
前記端末デバイスが前記第１のデータを送信するために前記第２のリソース以外のリソースを前記選択する段階は、
前記端末デバイスが、前記第２のリソースを除くデータ送信リソース選択ウィンドウ内のリソースから、前記第１のデータを送信する前記リソースを選択する段階を含む、請求項１５から１８のいずれか一項に記載の方法。
【請求項２０】
前記データ送信リソース選択ウィンドウの長さは、第１の値Ｙより短いかそれに等しく、
前記第１の値Ｙは、［前記第１のデータの前記送信期間］≦Ｙ≦１００ミリ秒、という不等式を満たす、請求項１９に記載の方法。
【請求項２１】
第１のリソースの設定情報を端末デバイスに送信するように構成された送信ユニットを備えるアクセスネットワークデバイスであって、
前記第１のリソースは第１のデータを送信するためのリソースではなく、前記第１のリソースの前記設定情報は、前記第１のリソースの前記設定情報と前記第１のデータの送信期間とに基づいて第２のリソースを決定するための設定情報であり、前記第２のリソースは、前記第１のデータを送信するために前記第２のリソース以外のリソースを選択するためのリソースである、アクセスネットワークデバイス。
【請求項２２】
前記第２のリソースは前記第１のリソース及び第３のリソースを含み、前記第３のリソースは、前記第１のデータの少なくとも１つの送信期間の分だけ前記第１のリソースから分離されている、請求項２１に記載のアクセスネットワークデバイス。
【請求項２３】
前記第１のリソースは同期サブフレームを含み、前記第１のリソースの前記設定情報は、前記同期サブフレームの期間と、オフセットとを含み、
前記第１のリソースの前記設定情報と前記第１のデータの送信期間とに基づいて第２のリソースを前記決定することは、
前記同期サブフレームの前記期間、前記オフセット、及び前記第１のデータの前記送信期間に基づいて前記第２のリソースを決定することを含む、請求項２１又は２２に記載のアクセスネットワークデバイス。
【請求項２４】
前記同期サブフレームの前記期間、前記オフセット、及び前記第１のデータの前記送信期間に基づいて前記第２のリソースを前記決定することは、
前記同期サブフレームの前記期間と前記第１のデータの前記送信期間とに基づいて、前記同期サブフレームの前記期間と前記第１のデータの前記送信期間との最大公約数Ｘを決定することと、
前記オフセット及び前記最大公約数Ｘに基づいて前記第２のリソースを決定することと
を含み、
前記第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、前記オフセットは、システムフレーム番号サイクルの１番目のサブフレームに対する前記システムフレーム番号サイクルの１番目の同期サブフレームのオフセットであるか、又は、前記オフセットは、ダイレクトフレーム番号サイクルの１番目のサブフレームに対する前記ダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す、請求項２３に記載のアクセスネットワークデバイス。
【請求項２５】
前記第１のデータを送信するために前記第２のリソース以外のリソースを前記選択することは、
前記第２のリソースを除くデータ送信リソース選択ウィンドウ内のリソースから、前記第１のデータを送信する前記リソースを選択することを含む、請求項２１から２４のいずれか一項に記載のアクセスネットワークデバイス。
【請求項２６】
前記データ送信リソース選択ウィンドウの長さは、第１の値Ｙより短いかそれに等しく、
前記第１の値Ｙは、［前記第１のデータの前記送信期間］≦Ｙ≦１００ミリ秒、という不等式を満たす、請求項２５に記載のアクセスネットワークデバイス。
【請求項２７】
請求項１から７のいずれか一項に記載の方法の各段階を１つ又は複数のプロセッサに実行させるためのプログラム。
【請求項２８】
請求項１５から２０のいずれか一項に記載の方法の各段階を１つ又は複数のプロセッサに実行させるためのプログラム。
【請求項２９】
装置であって、
１つ又は複数のプロセッサと、
前記１つ又は複数のプロセッサにより実行された場合に、請求項１から７のいずれか一項に記載の方法の各段階を前記装置に実行させるコンピュータ命令を格納するための非一時的メモリと
を備える装置。
【請求項３０】
装置であって、
１つ又は複数のプロセッサと、
前記１つ又は複数のプロセッサにより実行された場合に、請求項１５から２０のいずれか一項に記載の方法の各段階を前記装置に実行させるコンピュータ命令を格納するための非一時的メモリと
を備える装置。
【手続補正２】
【補正対象書類名】明細書
【補正対象項目名】００８０
【補正方法】変更
【補正の内容】
【００８０】
任意選択の一実施形態において、第１のリソースは同期サブフレーム又は予約サブフレームである。第１のリソースの設定情報は、同期サブフレーム又は予約サブフレームの期間、及びオフセットｏｆｆｓｅｔを含む。同期サブフレームは、同期信号の送信又は受信に用いられるサブフレームであり、予約サブフレームは、Ｖ２Ｘ通信に用いることができないサブフレームである。オフセットは、システムフレーム番号（ＳＦＮ）サイクルの１番目のサブフレームに対するシステムフレーム番号サイクルの１番目の同期サブフレームのオフセットであるか、又は、オフセットは、ダイレクトフレーム番号（ＤＦＮ）サイクルの１番目のサブフレームに対するダイレクトフレーム番号サイクルの１番目の同期サブフレームのオフセットである。任意選択的に、図３に示す実施形態では、第１のリソースは同期サブフレームであってもよく、又は予約サブフレームであってもよい。しかしながら、図３の実施形態では、第１のリソースが同期サブフレームであることが、一例として詳細な説明に用いられる。図３の実施形態では、全ての同期サブフレームが予約サブフレームと置き換えられてよい。
【手続補正３】
【補正対象書類名】明細書
【補正対象項目名】００８５
【補正方法】変更
【補正の内容】
【００８５】
任意選択の一実施形態において、処理ユニット３０１が同期サブフレームの期間、オフセット、及び第１のデータの送信期間に基づいて第２のリソースを決定することは、処理ユニット３０１が同期サブフレームの期間と第１のデータの送信期間とに基づいて同期サブフレームの期間と第１のデータの送信期間との最大公約数Ｘを決定することと、処理ユニット３０１がオフセットと最大公約数Ｘとに基づいて第２のリソースを決定することとを含む。ここで、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットｏｆｆｓｅｔは、システムフレーム番号（ＳＦＮ）サイクルの１番目のサブフレームに対するシステムフレーム番号サイクルの１番目の同期サブフレームのオフセットであるか、又は、オフセットｏｆｆｓｅｔは、ダイレクトフレーム番号（ＤＦＮ）サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値、すなわち、｜ｋ−ｏｆｆｓｅｔ｜を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。１つのシステムフレームは１０個のサブフレームを含み、１つのシステムフレーム番号サイクル（ＳＦＮ  ｃｙｃｌｅ）は１０２４個のシステムフレームを含む。１０２４個のシステムフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、システムフレーム番号サイクルの１番目のサブフレームがサブフレーム０である。１つのダイレクトフレームは１０個のサブフレームを含み、１つのダイレクトフレーム番号サイクル（ＤＦＮ  ｃｙｃｌｅ）は１０２４個のダイレクトフレームを含む。１０２４個のダイレクトフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、ダイレクトフレーム番号サイクルの１番目のサブフレームがサブフレーム０である。
【手続補正４】
【補正対象書類名】明細書
【補正対象項目名】００９６
【補正方法】変更
【補正の内容】
【００９６】
任意選択の一実施形態において、第１のリソースは同期サブフレーム又は予約サブフレームである。第１のリソースの設定情報は、同期サブフレーム又は予約サブフレームの期間、及びオフセットｏｆｆｓｅｔを含む。同期サブフレームは、同期信号の送信又は受信に用いられるサブフレームであり、予約サブフレームは、Ｖ２Ｘ通信に用いることができないサブフレームである。オフセットは、システムフレーム番号（ＳＦＮ）サイクルの１番目のサブフレームに対するシステムフレーム番号サイクルの１番目の同期サブフレームのオフセットであるか、又は、オフセットは、ダイレクトフレーム番号（ＤＦＮ）サイクルの１番目のサブフレームに対するダイレクトフレーム番号サイクルの１番目の同期サブフレームのオフセットである。任意選択的に、図５に示す実施形態では、第１のリソースは同期サブフレームであってもよく、又は予約サブフレームであってもよい。しかしながら、図５の実施形態では、第１のリソースが同期サブフレームであることが、一例として詳細な説明に用いられる。図５の実施形態では、全ての同期サブフレームが予約サブフレームと置き換えられてよい。
【手続補正５】
【補正対象書類名】明細書
【補正対象項目名】００９８
【補正方法】変更
【補正の内容】
【００９８】
任意選択の一実施形態において、端末デバイスが同期サブフレームの期間、オフセット、及び第１のデータの送信期間に基づいて第２のリソースを決定することは、端末デバイスが同期サブフレームの期間と第１のデータの送信期間とに基づいて同期サブフレームの期間と第１のデータの送信期間との最大公約数Ｘを決定することと、端末デバイスがオフセットと最大公約数Ｘとに基づいて第２のリソースを決定することとを含む。ここで、第２のリソースのサブフレーム番号ｋが、ｍｏｄ（ａｂｓ（ｋ−ｏｆｆｓｅｔ），Ｘ）＝０の式を満たし、ｋは０より大きいか０に等しい整数であり、オフセットｏｆｆｓｅｔは、システムフレーム番号（ＳＦＮ）サイクルの１番目のサブフレームに対するシステムフレーム番号サイクルの１番目の同期サブフレームのオフセットであるか、又は、オフセットｏｆｆｓｅｔは、ダイレクトフレーム番号（ＤＦＮ）サイクルの１番目のサブフレームに対するダイレクトフレーム番号サイクルの１番目の同期サブフレームのオフセットであり、Ｘは正の整数であり、ａｂｓ（ｋ−ｏｆｆｓｅｔ）は、ｋ−ｏｆｆｓｅｔの絶対値、すなわち、｜ｋ−ｏｆｆｓｅｔ｜を表し、ｍｏｄ（ａｂｓ（ｋ−ｏｆｆｓｅｔ），Ｘ）は、ａｂｓ（ｋ−ｏｆｆｓｅｔ）をＸで割ることにより求められる剰余を表す。１つのシステムフレームは１０個のサブフレームを含み、１つのシステムフレーム番号サイクル（ＳＦＮ  ｃｙｃｌｅ）は１０２４個のシステムフレームを含む。１０２４個のシステムフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、システムフレーム番号サイクルの１番目のサブフレームがサブフレーム０である。１つのダイレクトフレームは１０個のサブフレームを含み、１つのダイレクトフレーム番号サイクル（ＤＦＮ  ｃｙｃｌｅ）は１０２４個のダイレクトフレームを含む。１０２４個のダイレクトフレームの１０２４０個のサブフレームは、０から１０２３９まで連続して番号付けされ、１番目のサブフレームがサブフレーム０であり、１０２４０番目のサブフレームがサブフレーム１０２３９である。サブフレーム１０２３９に続くサブフレームが次のサイクルのサブフレームであり、ダイレクトフレーム番号サイクルの１番目のサブフレームがサブフレーム０である。
【手続補正６】
【補正対象書類名】明細書
【補正対象項目名】０１０２
【補正方法】変更
【補正の内容】
【０１０２】
任意選択の一実施形態において、送信ユニット５０１は送信機６０１であってよく、送信機６０１は送受信機と置き換えられてよい。その上、アクセスネットワークデバイスはさらに、プロセッサ６０２及びメモリ６０３を含んでよく、メモリ６０３は、アクセスネットワークデバイスのプログラムコード及びデータを格納するように構成される。具体的には、図６に示すように、アクセスネットワークデバイスは、送信機６０１、プロセッサ６０２、及びメモリ６０３を含む。
【手続補正７】
【補正対象書類名】明細書
【補正対象項目名】０１３６
【補正方法】変更
【補正の内容】
【０１３６】
図１０は、図８の実施形態における方法を実行するように構成されたアクセスネットワークデバイスの実行可能な概略構造図である。アクセスネットワークデバイスは送信ユニット１００１を含む。任意選択的に、アクセスネットワークデバイスはさらに処理ユニット１００２を含む。
【国際調査報告】
2020503737.tif 000013
2020503737.tif 000014
2020503737.tif 000015
2020503737.tif 000016